(57)【特許請求の範囲】
【請求項１】
便器本体を設置する床面より上に排水口が位置している床上排水サイフォン式水洗便器において、
洗浄水を便器に供給する洗浄水供給手段と、
溜水を溜めるボウル部と、
前記洗浄水を外部へ排水するための排水路であって、上流側の排水路上流部と、この排水路上流部の下流側に連設された排水路下流部とから構成され、この排水路下流部の下流端である排水口が外部排水管に接続される前記排水路と、を備え、
前記排水路上流部は、前記排水路下流部の上側の最下点から水平方向に延ばした位置における断面積Ｓ２０を備え、前記排水路下流路は、この排水路下流部の上側の最下点から鉛直方向に下ろした位置における断面積Ｓ１を備え、この排水路下流部の断面積Ｓ１が前記排水路上流部の断面積Ｓ２０よりも大きく形成されていることを特徴とする床上排水サイフォン式水洗便器。
【請求項２】
前記洗浄水供給手段が水道直圧式であることを特徴とする請求項１記載の床上排水サイフォン式水洗便器。
【請求項３】
前記排水路の前記ボウル部に接続する入口の上端よりも、前記排水路下流部の上側の最下端が同等に位置するか又はより上方にあることを特徴とする請求項１又は２に記載の床上排水サイフォン式水洗便器。
【請求項４】
さらに、前記排水路に対峙したジェット吐出口と、前記洗浄水供給手段と前記ジェット吐出口とをつなぐ導水路と、を有し、前記ジェット吐出口が上記便器本体と別材質であることを特徴とする請求項１乃至３の何れか１項に記載の床上排水サイフォン式水洗便器。
【請求項５】
さらに、前記排水路に対峙したジェット吐出口と、前記洗浄水供給手段と前記ジェット吐出口とをつなぐ導水路と、を有し、前記導水路が上記便器本体と別材質で構成されていることを特徴とする請求項１乃至４の何れか１項に記載の床上排水サイフォン式水洗便器。
【発明の詳細な説明】
【０００１】
【発明の属する技術分野】
本発明は、床面より上に排水口を備え、サイフォン作用によって汚物を排出する床上排水サイフォン式の水洗便器に関する。
【０００２】
【従来の技術】
サイフォン式便器は溜水面から排水口までの落差を利用してサイフォン作用を起こし、溜水中の汚物を吸引、排出している。このため、床面に排水口を持つ床下排水サイフォン式水洗便器は前記落差を大きくとれるので、水洗機能は安定していた。
一方、床面より上に排水口を持つ床上排水サイフォン式水洗便器は前記落差が構造上小さくならざるを得ないので、吸引力は小さくなり、排出能力に大きな影響を与えていた。この対策として特開平11-200459に示すように排水口部に絞りを設ける等の対策がとられていた。
【０００３】
【発明が解決しようとする課題】
また、床面より上に排水口を持つ水洗便器では床から排水口芯位置を高くすることが市場から要望されているが、これは複数の便器を横並びに連立して施行する際に一本の横方向排水管にて排水の対応が可能となるので施行が簡便となるという利点があるためである。しかし、床上排水サイフォン式水洗便器ではその排水口芯位置を高くすると、溜水面から排水口までの落差がさらに小さくり、サイフォン作用を発生するエネルギーそのものが低下するため、汚物の排出力が低下するという問題があった。
特開平11-200459に示すような排水口部に絞りを設ける対策ではサイフォン作用持続時間を長くすることにより、汚物を排出していたが、排水口芯位置が高い便器ではサイフォン作用そのものが生じにくくなるなどの問題があった。このため、ジェット吐出口より単位時間当たりの通過流量の大きい大流量の洗浄水を供給することにより、前記落差減少分のエネルギーを補う対策がとられることがあったが、洗浄の際に大きな騒音を発するなどの問題や大流量吐水では吐水量のばらつきが大きく、節水が難しいなどの問題もあった。
【０００４】
本発明は、上記課題を解決するためになされたもので、本発明の目的は排水口芯位置が高い床上排水サイフォン式の水洗便器を提供することにある。
【課題を解決するための手段および作用・効果】
上記目的を達成するために、本発明は、便器本体を設置する床面より上に排水口が位置している床上排水サイフォン式水洗便器において、洗浄水を便器に供給する洗浄水供給手段と、溜水を溜めるボウル部と、洗浄水を外部へ排水するための排水路であって、上流側の排水路上流部と、この排水路上流部の下流側に連設された排水路下流部とから構成され、この排水路下流部の下流端である排水口が外部排水管に接続される排水路と、を備え、排水路上流部は、排水路下流部の上側の最下点から水平方向に延ばした位置における断面積Ｓ２０を備え、排水路下流路は、この排水路下流部の上側の最下点から鉛直方向に下ろした位置における断面積Ｓ１を備え、この排水路下流部の断面積Ｓ１が排水路上流部の断面積Ｓ２０よりも大きく形成されていることを特徴としている。
このように構成された本発明においては、排水路下流部の断面積が排水路上流部の断面積よりも大きいことを特徴とする。したがって、排水路上流部が狭くなることによる通過抵抗となる部分がないので、洗浄水が排水路上流部を通過する際、サイフォン作用により吸引された洗浄水の通過速度は排水路上流部内に進入してから排出するまでほとんど低下しない。また、サイフォン作用が終了するには排水路入口あるいは排水口から空気が進入することが必要であるが、排水口から空気が進入すると汚物と共に排水路上流部を通過する洗浄水をボウル側に戻してしまう可能性がある。確実に汚物を排出するためには空気を排水路入口より進入させる必要があるが、上述のように洗浄水の排水路上流部通過速度が速いと洗浄水が排水口へ流れる力が強いので、空気は排水口から入ることができず、常に排水路入口側より進入することになる。よって、本発明によると洗浄水や空気が常に排水口に向かって進行するようになり、安定した水洗機能を維持することができる。
【０００５】
本発明において、好ましくは、洗浄水供給手段が水道直圧式である。したがって、ジェット吐出穴から水道の圧力を利用した流速が早い洗浄水を供給できるので、排水路内を容易に満水にすることができ、排水口芯位置に関係なく、汚物をサイフォン作用にて排出することができる。
【０００６】
本発明において、好ましくは、排水路のボウル部に接続する入口の上端よりも、排水路下流部の上側の最下端が同等に位置するか又はより上方にある。よって、本発明によれば、排水口芯位置を高くすることができる。
【０００７】
本発明において、好ましくは、さらに、排水路に対峙したジェット吐出口と、洗浄水供給手段とジェット吐出口とをつなぐ導水路と、を有し、ジェット吐出口が便器本体と別材質である。したがって、ジェット吐出口を精度良く、任意の構造に加工することが可能となる。よって、本発明によれば、ジェット吐出口を最適構造に作製することができる。
【０００８】
本発明において、好ましくは、さらに、排水路に対峙したジェット吐出口と、洗浄水供給手段とジェット吐出口とをつなぐ導水路と、を有し、導水路が便器本体と別材質で構成されている。本発明によれば、導水路を最適な構造に作製することができる。
【０００９】
【発明の実施の形態】
以下図面に沿って発明内容の実施例を説明する。
図1に本発明に係る第一実施例を示した水洗便器２の概略図、図２は図1に係る排水路下流部１周辺の拡大概略図および排水路下流部１周辺の後方概略図（Ｐ視図）、図３は図２に関する排水路下流部１周辺のＭ−Ｍにおける断面図、図４は図２に関する排水路下流部１周辺のＮ−Ｎにおける断面図を示す。
図１に示す水洗便器２は、開閉弁を備え、リムパイプ３・ジェットパイプ４への吐水を切替える給水部５と、その切替を制御する制御部６と、ジェットパイプ４に接続されたジェットノズル７を備え、排水路下流部１の断面積Ｓ１が排水路上流部２０の断面積Ｓ２０より大きいことを特徴とする。
図２、図３および図４において排水路８は排水路上流部２０と排水路下流部１と排水口１２により構成されている。排水路上流部２０は排水路入口２１から排水路下流部最下端１１までであり、内径Ｃ１は排水路下流部１につながる付近でほぼ一定となっている。排水路下流部１は排水路下流部最下端１１から排水口１２までであり、Ｎ−Ｎ断面における排水路下流部１の高さＡ１および幅Ｂ１は内径Ｃ１より大きくなっている。このため、断面積Ｓ１は断面積Ｓ２０より大きい。
【００１０】
ここで、床面９から排水路入口上端１０までの高さＤ１と床面９から排水路下流部１上側の最下端である排水路下流部最下端１１までの高さＨ１の関係について説明する。
高さＤ１は、水洗便器２の座面までの高さＥ１から初水位Ｆ１と水封高さＧ１を引いたものとなる。一方、高さＨ１は、排水口１２の中心である排水口芯１３までの高さＩ１と、排水口芯１３から排水口上端部１４までの差Ｊ１および排水口上端部１４から排水路下流部最下端１１までの差Ｋ１の関係から求めることができる。
一般にＥ１＝３７０ｍｍ、Ｆ１＝１３０ｍｍ、Ｇ１＝６０ｍｍ、Ｉ１＝１７０ｍｍ、Ｊ１＝３５ｍｍであり、汚物の通過を考慮し、Ｋ１＝２５ｍｍとすると、Ｄ１＝１８０ｍｍ、Ｈ１＝１８０ｍｍとなる。
サイフォン便器は水位の高低差によって、吸引力を発し、汚物を排出する構造であるので、洗浄開始時は排水口下流部最下端１１の高さであるＨ１における水位よりも洗浄時溜水面１５の高さであるＧ１＋Ｄ１における水位が高いため、サイフォン作用が発生する。一方、洗浄終了時は排水口下流部最下端１１または排水路入口上端１０のいずれかから空気が進入することにより、サイフォン作用が終了する。
したがって、洗浄が終了直前の排水口下流部最下端１１における水位Ｈ１と排水路入口上端１０における水位Ｇ１は同等であるため、排水口下流部最下端１１から空気が進入する可能性がある。排水口下流部最下端１１から空気が進入すると排水路上流部２０を満たしていた洗浄水や洗浄水と共に移動していた汚物がボウル側に戻ることになり、非常に不衛生である。しかし、排水口入口上端１０から進入する空気は排水路上流部２０を満たし、排水口下流部１側に移動していた洗浄水や汚物を押すように進入するため、汚物がボウル側に戻りにくくなり、衛生的となる。
ここでは断面積Ｓ２０より断面積Ｓ１を大きくし、排水路上流側２０を通過する水を抵抗なく排出させることで、排水路上流側２０を通過する流速は洗浄水１６が排水路入口２１に進入してから排水口下流部１へ排出するまでの間ほとんど低下しないので、排水口へ流れる力が強くなり、空気が排水口下流部最下端１１から進入することができず、常に排水路入口上端１０から進入することになる。
【００１１】
したがって、本発明によれば、構造的にサイフォン便器に不利な形状であっても、汚物を確実に排出することができる。
【００１２】
なお、Ｋ１が大きくすればＨ１が小さくなり、Ｄ１の方がＨ１よりも大きくなるので、サイフォン便器にとって有利な構造となるが、排水口下流部１において汚物が排出しにくくなり、詰まりが発生する確率が高くなる。このためＫ１はＪ１より小さいことが望ましい。
【００１３】
次に洗浄経過について説明する。
図示しない加圧給水源から給水された洗浄水１６は、制御部６で制御され、給水部５でリムパイプ３へ開弁され、吐水される。その後、制御部６で制御され、洗浄水１６は給水部５にてジェットパイプ４へ吐水を切替えられ、ジェットノズル７から噴出される。最後に洗浄水１６は制御部６で制御され、給水部５にてリムパイプ３へ吐水を切替えられ、ボウル面に水を溜めた後閉弁する。
【００１４】
このように洗浄水１６は加圧給水され、高流速にてジェットノズル７から吐出されるので、排水路上流側２０では高流速が維持され、水洗機能の好結果をもたらす。このため、加圧給水される洗浄水とのセットが好適となる。
【００１５】
また、ジェットノズル７は別体部品で精度良く作製されるので、低流量の給水でも十分な流速が確保され、洗浄性能を維持できる。なお、小流量では洗浄音が小さくなったり、節水も対応可能となる。
【００１６】
ここで節水の効果について説明する。
制御部６では時間を制御することにより、吐水量を決めているが、制御上の問題から吐水時間にばらつきが生じる。例えば、１秒のばらつきが生じるとすると、単位時間当たりの吐水流量が１００Ｌ／ＭＩＮ程度の大流量では吐水量に約１．６Ｌのばらつきが生じるが、単位時間当たりの吐水流量が２０Ｌ／ＭＩＮ程度の小流量では吐水量に約０．３Ｌのばらつきに減少する。
ばらつきを抑えることができると水洗便器を洗浄する設定標準水量も低く設定できるようになるので、節水に効果がある。例えば、設定洗浄水量が８Ｌの場合、大流量では吐水時間によるばらつき約１．６Ｌを考慮するとその洗浄水量は約６．４Ｌから約９．６Ｌの範囲でばらつく。このようにばらつくと最低洗浄水量時約６．４Ｌでは汚物が排出できなかくなる可能性があるので、標準設定流量を、例えば９．３Ｌ程度（ばらつき範囲：約７．７Ｌ〜約１０．９Ｌ）に上げる必要が出てくる。一方、小流量でも同様の計算をすると、標準設定水量８Ｌ時の洗浄水量のばらつき範囲は７．７Ｌから８．３Ｌとなる。したがって、最低洗浄水量約７．７Ｌで水洗機能を満たす水洗便器であれば、大流量時の標準設定水量は９．３Ｌ、小流量時の標準設定流量は８Ｌとなり、小流量吐水では節水が可能となることがわかる。
【００１７】
なお、ここでいう加圧給水源は、水頭圧が約２５０ｍｍ程度の便器載置型の洗浄水貯留タンクでは得られない給水圧（元圧）を呈するものの総称を意味する。よって、本発明の加圧給水源は、水道管等の加圧給水管の他、家屋屋上・ビル屋上等のように便器載置型に比して大きな水頭圧を持って洗浄水給水が可能なものを含む。
【００１８】
次に第二実施例を説明する。
図５に第二実施例を示した水洗便器１０２の概略図、図６は図５に係る排水路下流部１０１周辺の拡大概略図および排水路下流部１０１周辺の後方概略図（Ｑ視図）、図７は図５に関する排水路下流部１０１周辺のＶ−Ｖにおける断面図、図８は図５に関する排水路下流部１０１周辺のＷ−Ｗにおける断面図を示す。
図５に示す水洗便器１０２は、開閉弁１３０と、水洗便器１０２と開閉弁１３０をつなぐパイプ１３１と、リム穴１３２およびジェット穴１３３へ洗浄水１３４を分配する陶器導水路１３５とを備え、排水路下流部１０１の断面積Ｓ１０１が排水路上流部１２０の断面積Ｓ１２０より大きいことを特徴とする。
図６、図７および図８において排水路１０８は排水路上流部１２０と排水路下流部１０１と排水口１１２により構成されている。排水路上流部１２０は排水路入口１２１から排水路下流部最下端１１１までであり、内径Ｃ２は排水路下流部１０１につながる付近でほぼ一定となっている。排水路下流部１０１は排水路下流部最下端１１１から排水口１１２までであり、Ｗ−Ｗ断面における排水路下流部１０１の幅Ｂ２は内径Ｃ２より大きく、高さＡ２は内径Ｃ２と同等寸法となっている。このため、断面積Ｓ１０１は断面積Ｓ１２０より大きい。
【００１９】
ここで、床面１０９から排水路入口上端１１０までの高さＤ２と床面１０９から排水路下流部１０１上側の最下端である排水路下流部最下端１１１までの高さＨ２の関係について説明する。
高さＤ２は、水洗便器１０２の座面までの高さＥ２から初水位Ｆ２と水封高さＧ２を引いたものとなる。一方、高さＨ２は、排水口１１２の中心である排水口芯１１３までの高さＩ２と、排水口芯１１３から排水口上端部１１４までの差Ｊ２および排水口上端部１１４から排水路下流部最下端２１１までの差Ｋ２の関係から求めることができる。
ここで、Ｅ２＝３７０ｍｍ、Ｆ２＝１３０ｍｍ、Ｇ２＝６０ｍｍ、Ｉ２＝１７０ｍｍ、Ｊ２＝３５ｍｍ、Ａ２＝Ｃ２＝７０ｍｍとすると、Ｋ２＝５ｍｍとなり、Ｄ２＝１８０ｍｍ、Ｈ２＝２００ｍｍとなる。サイフォン便器は水位の高低差によって、吸引力を発し、汚物を排出する構造であるが、洗浄時溜水面１５の水位が排水口入口上端１０まで下がる時、Ｈ２よりもＤ２の方が低くなるので、汚物が排出しにくくなる。
しかし、断面積Ｓ１２０より断面積Ｓ１０１を大きくすることで、排水路上流側１２０を通過する水が抵抗なく排出できるようになる。このため、排水路上流側１２０を通過する流速は洗浄水１３４が排水路入口１２１に進入してから排水口下流部１０１へ排出するまでの間、ほとんど低下しない。
【００２０】
したがって、本発明によれば、構造的にサイフォン便器に不利な形状であっても、汚物を排出することができる。
【００２１】
次に洗浄経過について説明する。
図示しない加圧給水源から給水された洗浄水１３４は、開閉弁１３０により開弁され、陶器導水路１３５へ吐水される。その後、ジェット室連絡穴１４０を通過し、ジェット室１４１に流れ、ジェット穴１３３より吐出される。また、供給される洗浄水１３４はジェット穴１３３から排出される単位時間当たりの流量は大きいので、陶器導水路１３５が素早く満水となり、リム穴１３２へ洗浄水１３４が吐水される。そして、開閉弁１３０が閉弁し、陶器導水路１３５に溜まった水がボウル面に供給され、通常の溜水面位置１４２まで戻り、洗浄操作が終了する。
【００２２】
このように洗浄水１３４は加圧給水され、高流速にてジェット穴１３３から吐出されるので、排水路上流側１２０では高流速が維持され、水洗機能に好結果をもたらす。
【００２３】
また、陶器導水路１３５を用いれば別材質であるパイプ１３１と水洗便器１０２の固定は溜水面位置１４２より上方で行われるので、漏水の危険がないという利点もある。
【００２４】
なお、ジェット穴１３３には別材質ノズルをセットしても良い。
【００２５】
次に第三実施例を説明する。
図９に第三実施例を示した水洗便器２０２の概略図、図１０は図９に係る排水路下流部２０１周辺の拡大概略図および排水路下流部２０１周辺の後方概略図（Ｒ視図）、図１１は図９に関する排水路下流部２０１周辺のＸ−Ｘにおける断面図、図１２は図９に関する排水路下流部２０１周辺のＹ−Ｙにおける断面図を示す。
図９に示す水洗便器２０２は、洗浄水２４９を溜め置くタンク２５０と、開閉弁２５１と、リム穴２３２およびジェット穴２３３へ洗浄水２４９を分配する陶器導水路２３５とを備え、排水路下流部２０１の断面積Ｓ２０１が排水路上流部２２０の断面積Ｓ２２０より大きいことを特徴とする。
図１０、図１１および図１２において排水路２０８は排水路上流部２２０と排水路下流部２０１と排水口２１２により構成されている。排水路上流部２２０は排水路入口２２１から排水路下流部最下端２１１までであり、内径Ｃ３は排水路下流部２０１につながる付近でほぼ一定となっている。排水路下流部２０１は排水路下流部最下端２１１から排水口２１２までであり、Ｗ−Ｗ断面における排水路下流部２０１の高さＡ３は内径Ｃ３より大きく、幅Ｂ３は内径Ｃ３と同等寸法となっている。このため、断面積Ｓ２０１は断面積Ｓ２２０より大きい。
【００２６】
ここで、床面２０９から排水路入口上端２１０までの高さＤ３と床面２０９から排水路下流部２０１上側の最下端である排水路下流部最下端２１１までの高さＨ３の関係について説明する。
高さＤ３は、水洗便器２０２の座面までの高さＥ３から初水位Ｆ３と水封高さＧ３を引いたものとなる。一方、高さＨ３は、排水口２１２の中心である排水口芯２１３までの高さＩ３と排水口芯２１３から排水口上端部２１４までの差Ｊ３を加えたものとなる。
ここで、Ｅ３＝３７０ｍｍ、Ｆ３＝１００ｍｍ、Ｇ３＝５５ｍｍ、Ｉ３＝１２０ｍｍ、Ｊ３＝３５ｍｍとすると、Ｄ３＝２１５ｍｍ、Ｈ３＝１５５ｍｍとなる。したがって、Ｄ３がＨ３よりも高く、サイフォン発生に関しては有利な条件となっている。
断面積Ｓ２２０より断面積Ｓ２０１を大きくすることで、排水路上流側２２０を通過する水が抵抗なく排出できるようになる。このため、排水路上流側２２０を通過する流速は洗浄水２４９が排水路入口２２１に進入してから排水口下流部２０１へ排出するまでの間、ほとんど低下しない。
【００２７】
一方、便器に密結したタンク式の洗浄方式では一般に水頭圧が低く、ジェット穴２３３から吐出される洗浄水２４９の流速は高いものが望めない。しかし、サイフォン発生に関して有利な形状と共に本発明を使用することにより、安定して汚物を排出する効果がある。
【００２８】
次に洗浄経過について説明する。
タンク２５０に貯留された洗浄水２４９は、開閉弁２５１により開弁され、陶器導水路２３５へ吐水される。その後、ジェット室連絡穴２４０を通過し、ジェット室２４１に流れ、ジェット穴２３３より吐出される。また、供給される洗浄水２４９はジェット穴２３３から排出される単位時間当たりの流量は大きいので、陶器導水路２３５が素早く満水となり、リム穴２３２へ洗浄水２４９が吐水される。
そして、開閉弁２５１が閉弁し、オーバーフロー管２５２を通って、溜水面を通常の溜水面位置２４２まで戻すために水がボウル面に供給されると共にタンク２５０に洗浄水２４９が貯留され、洗浄操作が終了する。
【００２９】
このように水頭圧が低い洗浄水２４９を供給する水洗便器２０２であっても、サイフォン発生に関して有利な形状と共に本発明を使用することにより、さらに安定した機能をえられる効果がある。
【図面の簡単な説明】
【図１】本発明に係る第一実施例を示した水洗便器の概略図である。
【図２】図1に係る排水路下流部１周辺の拡大概略図および排水路下流部１周辺の後方概略図（Ｐ視図）である。
【図３】図２に関する排水路下流部１周辺のＭ−Ｍにおけるである。
【図４】図２に関する排水路下流部１周辺のＮ−Ｎにおける断面図である。
【図５】第二実施例を示した水洗便器の概略図である。
【図６】図５に係る排水路下流部１０１周辺の拡大概略図および排水路下流部１０１周辺の後方概略図（Ｑ視図）である。
【図７】図５に関する排水路下流部１０１周辺のＶ−Ｖにおける断面図である。
【図８】図５に関する排水路下流部１０１周辺のＷ−Ｗにおける断面図である。
【図９】第三実施例を示した水洗便器２０２の概略図である。
【図１０】図９に係る排水路下流部２０１周辺の拡大概略図および排水路下流部２０１周辺の後方概略図（Ｒ視図）である。
【図１１】図９に関する排水路下流部２０１周辺のＸ−Ｘにおける断面図である。
【図１２】図９に関する排水路下流部２０１周辺のＹ−Ｙにおける断面図である。
【符号の説明】
１、１０１、２１０…排水路下流部
２、１０２，２０２…水洗便器
３…リムパイプ
４…ジェットパイプ
５…給水部
６…制御部
７…ジェットノズル
８、１０８、２０８…排水路
９、１０９、２０９…床面
１０、１１０、２１０…排水路入口上端
１１、１１１、２１１…排水路下流部最下端
１２、１１２、２１２…排水口
１３、１１３、２１３…排水口芯
１４、１１４、２１４…排水口上端部
１５…洗浄時溜水面
１６、１３４、２４９…洗浄水
２０、１２０、２２０…排水路上流部
２１、１２１、２２１…排水路入口
１３０、２５１…開閉弁
１３１…パイプ
１３２，２３２…リム穴
１３３、２３３…ジェット穴
１３５、２３５…陶器導水路
１４０…ジェット室連絡穴
１４１…ジェット室
１４２、２４２…溜水面位置
２５０…タンク
２５２…オーバーフロー管
Ｓ１、Ｓ１０１、Ｓ２０１…排水路下流部の断面積
Ｓ２０、Ｓ１２０、Ｓ２２０…排水路上流部の断面積
Ａ１、Ａ２、Ａ３…排水路下流部の高さ
Ｂ１、Ｂ２、Ｂ３…排水路下流部の幅
Ｃ１、Ｃ２、Ｃ３…排水路下流部最下端の内径
Ｄ１、Ｄ１、Ｄ２…床面９から排水路入口上端までの高さ
Ｅ１、Ｅ２、Ｅ３…水洗便器２の座面までの高さ
Ｆ１、Ｆ２、Ｆ３…初水位
Ｇ１、Ｇ２、Ｇ３…水封高さ
Ｈ１、Ｈ２、Ｈ３…床面９から排水路下流部１上側の最下端である排水路下流部最下端１１までの高さ
Ｉ１、Ｉ２、Ｉ３…排水口１２の中心である排水口芯１３までの高さ
Ｊ１、Ｊ２、Ｊ３…排水口芯１１３から排水口上端部１１４までの差
Ｋ１、Ｋ２、Ｋ３…排水口上端部１４から排水路下流部最下端１１までの差
【図１】
0004793614.tif 000002
【図２】
0004793614.tif 000003
【図３】
0004793614.tif 000004
【図４】
0004793614.tif 000005
【図５】
0004793614.tif 000006
【図６】
0004793614.tif 000007
【図７】
0004793614.tif 000008
【図８】
0004793614.tif 000009
【図９】
0004793614.tif 000010
【図１０】
0004793614.tif 000011
【図１１】
0004793614.tif 000012
【図１２】
0004793614.tif 000013